(57)【要約】      （修正有）【課題】  手動により上下あるいは左右の直線的な動き加工面の凹凸を平滑に研磨し、その際に生じる粉塵や塵埃を効果的に吸引集塵するとともに、研磨機の周辺に飛び散った粉麈や塵埃を吸塵して、加工物に残留する粉塵や塵埃を最小限度に抑えまた作業者が不用意に吸い込んだりすることを防止する手動研磨機を提供する。【解決手段】  長形状の筐状本体１の内部には、平面視略長形状の空洞状の集塵室を形成し、上面には天板３を、また下面にはバフや研磨紙等の研磨材４を張着して研磨面とする底板５が設けられ、底板５並びに両側面６および先端面７にはその長手方向に添って集塵室と直結する数多の吸気孔８を穿設し、少なくとも側面の一方には支持ブリッジ９を介して下面に向けて拡開されるカーテン１０を着脱可能に設ける。【選択図】  図１
2005271188.tif 000002
【特許請求の範囲】
【請求項１】
長方形状の筐状本体の内部には平面視略長形状の集塵室を形成し、該集塵室はその根元側において集塵機を備えた吸引パイプを接続し、上記筐状本体には研磨材を設けて研磨面を形成する底板並びに両側面および先端面にはその長手方向に添って上記集塵室と直結する数多の吸気孔を穿設し、少なくとも側面の一方には支持ブリッジを介して下面に向けて拡開されるカーテンを着脱可能に設けてなる手動研磨機。
【請求項２】
上記筐状本体に形成される集塵室は、その先端側を広く吸引パイプを接続する根元側を狭くする傾斜壁とする請求項１記載の手動研磨機。
【請求項３】
上記筐状本体の両側面に穿設される数多の吸気孔は、その先端面側を大径として根元側を小径とし、かつ、吸気孔の配置間隔はその根元側を長く先端側を短かい不等間隔で並列状に形成される請求項１又は２記載の手動研磨機。
【請求項４】
上記筺状本体の側面に取付けられるカーテンは、取付け面側の主体部が保形性を有する硬質部材とし、研磨面側の裾部が柔軟性を有する軟質部材とする請求項１ないし３のいずれかに記載の手動研磨機。
【発明の詳細な説明】
【技術分野】
【０００１】  本発明は研磨機、とくに内部に集塵機能を備えた手動研磨機に関するものである。
【背景技術】
【０００２】  従来この種の内部に集塵機能を備えて研磨によって生じる塵埃や粉塵を集塵する手動研磨機があり、その一例として回転研磨機に用いられる研磨材の中央部に吸塵用穴を設けたへこみ部を形成し、へこみ部から放射状に回転方向へ傾斜した凹溝を設けることにより、吸塵力と集塵力の向上を施したものがる（例えば、特許文献１参照。）。
また、砥石の周囲を包囲してシールド内に生じる塵の逃出を防止するため弾性材からなる防護材としてのスカートを設けたものがある（例えば、特許文献２参照。）。
【特許文献１】特開昭６３−１３９６６７号公報
【特許文献２】特開昭６３−１２７８７３号公報
【発明の開示】
【発明が解決しようとする課題】
【０００４】  従来用いられている研磨機とくに手動型の研磨機は、上述したように、椀型のハウジングに集塵部分を形成して、円板状の砥石または研磨部材を回転して研磨により発生する塵埃を砥石の周囲を包囲したスカートあるいは研磨材に凹溝を設けてハウジングの中央に設けられた集塵部分に集めているもので、板状体の塗装剥しや錆落しのように加工部材の表面が比較的大きく平らな面の研磨の場合にはその集塵機能を発揮されるが、パテや木工製品の凹凸を平滑にするように上下あるいは左右の直線的な動きを必要とする研磨の場合には細かな塵埃が研磨機の周囲に飛び散る恐れがあり、また、一度研磨機から飛び散った塵埃を回収することができなかった。【０００５】  本発明は、手動により上下あるいは左右の直線的な動きによってパテや木工製品のような加工面の凹凸を平滑に研磨し、その際に生じる粉塵や塵埃を研磨面において効果的に集塵するとともに、研磨機の周辺に飛び散った粉塵や塵埃を空気と一緒に吸塵して、加工面に残留する粉塵等を最小限度に抑え、また作業者が不用意に吸い込んだりすることを防止してマスクの着用なしに作業を行うことを目途とする手動研磨機を提供することを目的とするものである。
【課題を解決するための手段】
【０００６】  本発明に係る手動研磨機は、長方形状の筺状本体の内部には平面視略長形状の集塵室を形成し、該集塵室はその根元側において集塵機を備えた吸引パイプを接続し、上記筺状本体には研磨材を設けて研磨面を形成する底板並びに両側面および先端面にはその長手方向に添って上記集塵室と直結する数多の吸気孔を穿設して底板内のみならずその周辺に飛び散った塵埃等を空気とともに吸塵し、さらに、少なくとも側面の一方には支持ブリッジを介して下面に向けて拡開されるカーテンを着脱可能に設けてその集塵効果を高めてなることを特徴とするものである。【０００７】  さらに、上記筺状本体に形成される集塵室は、その先端側を広く吸引パイプを接続する根元側を狭くする傾斜壁とすることを特徴とするものである。【０００８】  さらに、上記筺状本体の両側面に穿設される数多の吸気孔は、その先端面側を大径として根元側を小径とし、かつ、吸気孔の配置間隔はその根元側を長く、先端側を短かい不等間隔で並列状に形成されることを特徴とするものである。【０００９】  さらに、上記筺状本体の側面に取付けられるカーテンは、取付け面側の主体部が保形性を有する硬質部材とし、研磨面側の裾部が柔軟性を有する軟質部材とすることを特徴とするものである。
【発明の効果】
【００１０】  本発明に係る手動研磨機によれば、研磨材が設けられる底板に穿設される吸気孔から研磨面の粉塵や塵埃が集塵されるとともに、研磨機の周辺に飛散した粉塵や塵埃を両側面や先端面に穿設した吸気孔から吸塵することにより、作業場の空中や床への粉塵や塵埃の飛散が減少されて作業者の安全性を向上させ、身体への悪影響を軽減することができ、また、研磨面への粉塵の付着残量が最小限に抑えられ、加工面が常にクリーンな状態に保たれ、研磨状態が目視されて研磨時間の短縮や加工面の精度を安定させることができる。【００１１】  さらに、筐状本体の内部に形成される集塵室は、その先端面側を広く、吸引パイプと接続する根元側を狭くする傾斜壁とした空気容積を形成しており、研磨により発生する粉塵を空気と一緒に効率よく吸塵して吸引パイプを通して集塵機に送ることができる。【００１２】  さらに、集塵室に連結される筺状本体の両側面に穿設される数多の吸気孔は、その先端面側を大径とし、根元側を小径として同一径とせず、しかも吸気孔の配置間隔を先端側を短く根元側を長くした不等間隔で並列状に形成されることにより、集塵室の傾斜壁と併せて吸気孔による吸引をほぼ均等にして吸気効果を高め、筐状本体より外部に飛散した粉塵や塵埃を効果的に集塵室に集塵することができる。【００１３】  さらに、筺状本体の側面に着脱可能に支持ブリッジを介して下面に向けて拡開される傾斜状のカーテンを設けることにより、常に側面に設けられる吸気孔との間に間隙が形成されて吸気孔の吸入の妨げにならず、筺状本体より外部に飛散した粉塵の拡散を防いで吸気孔に導かれ、安全に作業を行うことができる。【００１４】  また、このカーテンは取付け面側の主体部を硬質部材として保形性が保持され、また研磨面側の裾部を軟質部材として柔軟性を有して形成することにより、使用中途における変形を防止して研磨する加工面との密着性を高め、とくに垂直な加工面を研磨する際には研磨面に残留されている粉塵を刷き取って集塵することができる。
【発明を実施するための最良の形態】
【００１５】  本発明に係る手動研磨機の最良の形態につき添付図面により説明する。
図１は、本発明に係る手動研磨機を示す斜視図であり、図２は、同じくその内部構造を示す断面略示図、図３は、その底面状態を示す略示図である。【００１６】  本発明に係る手動研磨機は、図１及び図２に示すように、金属または硬質の合成樹脂より製せられる長形状の筐状本体１から形成され、その内部には平面視略長形状の空洞状の集塵室２を形成し、上面には天板３を、また下面にはバフや研磨紙等の研磨材４を張着して研磨面とする底板５が設けられている。【００１７】  この筐状本体１には、底板５並びに両側面６および先端面７にはその長手方向に添って内部の集塵室２と直結する数多の吸気孔８を並列状に穿設し、少なくとも側面６の一方には支持ブリッジ９を介して下面に向けて拡開されるカーテン１０を着脱可能に設けてなるものである。【００１８】  前記空洞状の集塵室２は、底板５や吸気孔６から吸引される塵埃や粉塵をより効果的に吸塵するように、筺状本体１の内部のほぼ全域に渡って形成され、両側壁面が傾斜状に形成されて、先端面７側を広い方形状とし、後端面の根元側を狭い円形状としてその根元側において吸引パイプ１１が設けられて、この吸引パイプ１１には掃除機等の集塵機（図示せず）に接続されて吸引した塵埃や粉塵が集められている。【００１９】  筺状本体１の両側面６、６に形成される凹状壁１２の長手方向に添って穿設される数多の吸気孔８ａは、図１及び図２に示すように、その先端面側の吸気孔８ａを最も大きい径とし、順次その径を小さくして根元側の吸気孔８ａを最も小径となるように形成し、かつ吸気孔８ａの配置間隔を先端側が短く、根元側に向って順次長く不等間隔をもってほぼ一直線状に並列され、その吸気力をほぼ一定に均等に吸引されている。【００２０】  筐状本体１の鉛直状の先端面７に穿設される吸気孔８ｃも適宜間隔を有して並列状に形成されているものである。
また、平板状の底板５に穿設される吸気孔８ｂは、同径の孔部を有して着脱可能に張着する研磨材に対応した位置に設けられているものである。【００２１】  筺状本体１の少なくとも側面の一方に形成されるカーテン１０は、底板５に取付けられた研磨材４の研磨によって飛び散った塵埃や粉塵を側面等に穿設されている吸気孔８で吸引する際の集塵効果を有し、また、加工物の垂直面を研磨する際の研磨面に残留する塵埃や粉塵を集塵する役目をもつもので、図１及び図２に示されるように、筐状本体１の側面の上方側に設けられるマジックテープ等の適宜止着手段１３を用いて、その下方側に突出状に取付けられる支持ブリッジ９を介して下面に向けて拡開されるように着脱可能に設けられて、カーテン１０が妄りに側面６に穿設されている吸気孔８ａに近接してその吸気力の低下を防ぐものである。【００２２】  このカーテン１０はゴムまたは合成樹脂から製せられ、図１に示すように、取付け面側の主体部１０ａをその保形性が維持されるように硬質部材とし、研磨面側の裾部１０ｂを軟質部材として、柔軟性を有して研磨面との密着性を高めるとともに研磨面への不必要な傷痕の発生を防ぐものである。
【図面の簡単な説明】
【００２３】
【図１】本発明に係る手動研磨機を示す斜視図である。
【図２】同じくその内部構造を示す断面略示図である。
【図３】同じくその底面状態を示す平面略示図である。
【符号の説明】
【００２４】    １        筺状本体
２        集塵室
３        天板
４        研磨材
５        底板
６        側面
７        先端面
８        吸気孔
８ａ      側面６に設けられる吸気孔
８ｂ      底板５に設けられる吸気孔
８ｃ      先端面７に設けられる吸気孔
９        支持ブリッジ
１０      カーテン
１０ａ    カーテン１０の主体部
１０ｂ    カーテン１０の裾部
１１      吸引パイプ
１２      凹状壁
１３      カーテン１０の止着手段
【図１】
2005271188.tif 000003
【図２】
2005271188.tif 000004
【図３】
2005271188.tif 000005